(57)【要約】【課題】配線構造を簡素化し、信頼性及び耐久性を向上させることができるようにする。【解決手段】変位自在に配設された記録ヘッドと、該記録ヘッドに５６０〔ＭＨｚ〕以下の動作周波数で、ＬＶＤＳ方式によって信号を送信する制御部３０と、記録ヘッドと制御部３０との間に配設され、信号を中継して送信する中継基板４０と、記録ヘッドと中継基板４０とを接続するための、長さが２０〔ｃｍ〕以下のフレキシブルフラットケーブル２４Ｂｋ、２４Ｙ、２４Ｍ、２４Ｃとを有する。記録ヘッドと中継基板４０とが、長さが２０〔ｃｍ〕以下の耐屈曲性の高いフレキシブルフラットケーブル２４Ｂｋ、２４Ｙ、２４Ｍ、２４Ｃによって接続されるので、配線構造を簡素化することができる。接触不良、断線等が発生するのを防止して、プリンタの信頼性及び耐久性を向上させることができる。【選択図】図１
2008080739.tif 000002
【特許請求の範囲】
【請求項１】
（ａ）変位自在に配設された記録ヘッドと、
（ｂ）該記録ヘッドに５６０〔ＭＨｚ〕以下の動作周波数で、ＬＶＤＳ方式によって信号を送信する制御部と、
（ｃ）前記記録ヘッドと前記制御部との間に配設され、前記信号を中継して送信する中継基板と、
（ｄ）前記記録ヘッドと前記中継基板とを接続するための、長さが２０〔ｃｍ〕以下のフレキシブルフラットケーブルとを有することを特徴とする画像形成装置。
【請求項２】
（ａ）前記記録ヘッドの変位量は２〔ｃｍ〕以下にされ、
（ｂ）前記フレキシブルフラットケーブルの長さは５．５〔ｃｍ〕以上にされる請求項１に記載の画像形成装置。
【請求項３】
（ａ）前記記録ヘッドは前記フレキシブルフラットケーブルを接続する接続部を備え、
（ｂ）前記フレキシブルフラットケーブルの端部は撓みを規制する規制部材を備える請求項２に記載の画像形成装置。
【請求項４】
前記中継基板はＬＶＤＳ方式のシリアライザ回路を備える請求項１〜３のいずれか１項に記載の画像形成装置。
【請求項５】
前記中継基板は前記記録ヘッドの上方に配設される請求項１〜４のいずれか１項に記載の画像形成装置。
【請求項６】
（ａ）前記記録ヘッドは、所定の方向において所定の間隔で複数個並設され、
（ｂ）前記間隔はフレキシブルフラットケーブルの前記所定の方向における撓み量より大きくされる請求項２に記載の画像形成装置。
【発明の詳細な説明】
【技術分野】
【０００１】
本発明は、画像形成装置に関するものである。
【背景技術】
【０００２】
従来、プリンタ、複写機、ファクシミリ装置、複合機等の画像形成装置、例えば、カラーのプリンタにおいては、階調印刷を行う場合、非常に多量のデータが通信される。また、高速印刷（例えば、４０〔ＰＰＭ〕）を行う場合、印刷ヘッドへのデータ転送速度は４６２〔ＭＩＰＳ〕程度以上になるので、通常のパラレルデータバス通信方式ではなく、ＬＶＤＳ（Ｌｏｗ  Ｖｏｌｔａｇｅ  Ｄｉｆｆｅｒｅｎｔｉａｌ  Ｓｉｇｎａｌ）方式によってデータが転送される。
【０００３】
ところで、前記プリンタにおいては、制御部からＬＥＤヘッドに画像データ、制御信号等を送信する必要があるので、制御部とＬＥＤヘッドとをシールドケーブルで接続するようになっているが、シールドケーブルは製造上の理由で同軸ケーブルで構成されるのが一般的である。したがって、コネクタに接続されるシールドケーブルの端部においては、シールド部分が除去されるので、信号線材が個々に分散してしまい、強度が著しく低下してしまう。
【０００４】
そこで、シールドケーブルの端部の近傍をクランプし、シールドケーブルの前記ＬＥＤヘッドとの相対的な位置を固定することによって、前記シールドケーブルの端部に応力が加わらないようにしている（例えば、特許文献１参照。）。
【特許文献１】特開２００６−１１６７６４号公報
【発明の開示】
【発明が解決しようとする課題】
【０００５】
しかしながら、前記従来のプリンタにおいては、シールドケーブルの端部の近傍をクランプするための特別な機構を配設する必要があるので、プリンタの配線構造が複雑化してしまう。
【０００６】
また、シールドケーブルの端部を固定しても、各部材の組立てのばらつき、長期の使用に伴う経時的な位置ずれ等によって、前記シールドケーブルの端部に不規則な応力が加わり、接触不良、断線等が発生してしまう。したがって、プリンタの信頼性及び耐久性が低下してしまう。
【０００７】
本発明は、前記従来のプリンタの問題点を解決して、配線構造を簡素化し、信頼性及び耐久性を向上させることができる画像形成装置を提供することを目的とする。
【課題を解決するための手段】
【０００８】
そのために、本発明の画像形成装置においては、変位自在に配設された記録ヘッドと、該記録ヘッドに５６０〔ＭＨｚ〕以下の動作周波数で、ＬＶＤＳ方式によって信号を送信する制御部と、前記記録ヘッドと前記制御部との間に配設され、前記信号を中継して送信する中継基板と、前記記録ヘッドと前記中継基板とを接続するための、長さが２０〔ｃｍ〕以下のフレキシブルフラットケーブルとを有する。
【発明の効果】
【０００９】
本発明によれば、画像形成装置においては、変位自在に配設された記録ヘッドと、該記録ヘッドに５６０〔ＭＨｚ〕以下の動作周波数で、ＬＶＤＳ方式によって信号を送信する制御部と、前記記録ヘッドと前記制御部との間に配設され、前記信号を中継して送信する中継基板と、前記記録ヘッドと前記中継基板とを接続するための、長さが２０〔ｃｍ〕以下のフレキシブルフラットケーブルとを有する。
【００１０】
この場合、前記記録ヘッドと前記中継基板とが、長さが２０〔ｃｍ〕以下の耐屈曲性の高いフレキシブルフラットケーブルによって接続されるので、配線構造を簡素化することができ、接触不良、断線等が発生するのを防止することができ、また、画像形成装置の信頼性及び耐久性を向上させることができる。そして、ＬＶＤＳ方式によって多量のデータを高速に通信することができる。
【発明を実施するための最良の形態】
【００１１】
以下、本発明の実施の形態について図面を参照しながら詳細に説明する。この場合、画像形成装置としてのカラーのプリンタについて説明する。
【００１２】
図２は本発明の第１の実施の形態におけるプリンタの概略図である。
【００１３】
図に示されるように、プリンタ１０の本体、すなわち、装置本体の下部に媒体としての図示されない用紙を収容する媒体収容部としての給紙カセット１１が配設され、該給紙カセット１１に、用紙を１枚ずつ分離して給紙する給紙機構が配設される。該給紙機構は、給紙ローラ１２ａ、１２ｂ及び分離ローラ１３を備え、給紙機構によって給紙された用紙は、上部に配設された搬送ローラ部１４に送られる。該搬送ローラ部１４から送り出された用紙は搬送ローラ部１５に送られ、その後、搬送部材としての搬送ベルト１７が走行させられるのに伴って、搬送ベルト１７によって搬送され、ブラック、イエロー、マゼンタ及びシアンの各色の画像の形成を行う複数の画像形成部としての画像形成ユニット１６Ｂｋ、１６Ｙ、１６Ｍ、１６Ｃと転写部材としての転写ローラ２６Ｂｋ、２６Ｙ、２６Ｍ、２６Ｃとの間を通過し、該転写ローラ２６Ｂｋ、２６Ｙ、２６Ｍ、２６Ｃは各画像形成ユニット１６Ｂｋ、１６Ｙ、１６Ｍ、１６Ｃにおける像担持体としての感光体ドラム２７Ｂｋ、２７Ｙ、２７Ｍ、２７Ｃにおいて形成された各色の現像剤像としての、かつ、可視像としてのトナー像を、用紙に転写し、カラーのトナー像を形成する。
【００１４】
続いて、用紙は、定着装置としての定着器１８に送られ、該定着器１８においてカラーのトナー像が用紙に定着させられ、カラーの画像が形成される。そして、定着器１８から排出された用紙は、搬送ローラ１９によって搬送された後、排出搬送ローラ２０によって装置本体外のスタッカに排出される。
【００１５】
前記各画像形成ユニット１６Ｂｋ、１６Ｙ、１６Ｍ、１６Ｃにおいて、前記各感光体ドラム２７Ｂｋ、２７Ｙ、２７Ｍ、２７Ｃ上に潜像としての静電潜像を形成するために露光装置としての、かつ、記録ヘッドとしてのＬＥＤヘッド５０Ｂｋ、５０Ｙ、５０Ｍ、５０Ｃが各画像形成ユニット１６Ｂｋ、１６Ｙ、１６Ｍ、１６Ｃと対向させて配設され、各ホルダ２２Ｂｋ、２２Ｙ、２２Ｍ、２２Ｃによって変位自在、すなわち、移動自在に支持される。
【００１６】
前記各ＬＥＤヘッド５０Ｂｋ、５０Ｙ、５０Ｍ、５０Ｃは、図示されない付勢部材によって下方に向けて付勢され、各画像形成ユニット１６Ｂｋ、１６Ｙ、１６Ｍ、１６Ｃに当接させられ、位置決めされる。前記各ホルダ２２Ｂｋ、２２Ｙ、２２Ｍ、２２Ｃは開閉自在な上部フレーム２３によって保持される。また、各ＬＥＤヘッド５０Ｂｋ、５０Ｙ、５０Ｍ、５０Ｃと制御部３０とは信号ケーブルとしてのフレキシブルフラットケーブル（ＦＦＣ）２４Ｂｋ、２４Ｙ、２４Ｍ、２４Ｃを介して接続される。なお、説明の便宜上、図２において制御部３０は、装置本体外に配設されるように示されているが、実際は装置本体内に配設される。
【００１７】
本実施の形態においては、単色の印刷と複数色の印刷とを切り替えることができるようになっていて、切替え時に、画像形成ユニット１６Ｂｋ、１６Ｙ、１６Ｍ、１６Ｃのうちの所定の画像形成ユニットが搬送ベルト１７に対して接離させられる。これに伴って、前記画像形成ユニットに当接させられ、位置決めされたＬＥＤヘッドは接離動作に連動してホルダによって支持された状態で移動させられる。
【００１８】
図１は本発明の第１の実施の形態におけるフレキシブルフラットケーブルの接続状態を示す概念図である。
【００１９】
図に示されるように、プリンタ１０内に４個のＬＥＤヘッド５０Ｂｋ、５０Ｙ、５０Ｍ、５０Ｃが配設され、該ＬＥＤヘッド５０Ｂｋ、５０Ｙ、５０Ｍ、５０Ｃに、ＬＶＤＳ方式によって画像データ、制御信号等の信号、すなわち、ＬＶＤＳ信号をシリアルデータで転送する制御部３０、該制御部３０からのＬＶＤＳ信号を中継し、前記各ＬＥＤヘッド５０Ｂｋ、５０Ｙ、５０Ｍ、５０Ｃに送信する中継基板４０、前記制御部３０と中継基板４０とを接続する制御ケーブル２５、及び各ＬＥＤヘッド５０Ｂｋ、５０Ｙ、５０Ｍ、５０Ｃと中継基板４０とを接続するフレキシブルフラットケーブル２４Ｂｋ、２４Ｙ、２４Ｍ、２４Ｃが配設される。
【００２０】
次に、前記構成のプリンタ１０の動作について説明する。
【００２１】
図３は本発明の第１の実施の形態におけるプリンタのブロック図である。
【００２２】
なお、本実施の形態において、ＬＥＤヘッド５０Ｂｋ、５０Ｙ、５０Ｍ、５０ＣはＬＶＤＳ方式によってデータの受信を行う。
【００２３】
図に示されるように、制御部３０は、前記ＬＥＤヘッド５０Ｂｋ、５０Ｙ、５０Ｍ、５０Ｃに対して高速（５３２〔ＭＨｚ〕＝７６〔ＭＨｚ〕＊７逓倍）のＬＶＤＳ信号でシリアルデータを転送する。該シリアルデータは、表１に示される制御コマンドに従ったビット配列で転送される。
【００２４】
【表１】
2008080739.tif 000003
【００２５】
そのために、前記制御部３０は、エンジン制御部３１、及びＬＶＤＳ信号を生成するシリアライザ部３２を備える。また、前記各ＬＥＤヘッド５０Ｂｋ、５０Ｙ、５０Ｍ、５０Ｃ内には、前記制御部３０でシリアライズされて入力されたシリアルデータを受信するためのデシリアライザ部５１Ｂｋ、５１Ｙ、５１Ｍ、５１Ｃ、ＬＥＤ素子群５４Ｂｋ、５４Ｙ、５４Ｍ、５４Ｃ、該ＬＥＤ素子群５４Ｂｋ、５４Ｙ、５４Ｍ、５４Ｃを駆動するＬＥＤ駆動部５３Ｂｋ、５３Ｙ、５３Ｍ、５３Ｃ、及び前記ＬＥＤ素子群５４Ｂｋ、５４Ｙ、５４Ｍ、５４Ｃを発光制御するための制御信号を生成するＬＥＤコマンド生成部５２Ｂｋ、５２Ｙ、５２Ｍ、５２Ｃが配設される。なお、前記ＬＥＤヘッド５０Ｂｋ、５０Ｙ、５０Ｍ、５０Ｃには、ＬＥＤ素子群５４Ｂｋ、５４Ｙ、５４Ｍ、５４Ｃを駆動させるための電圧が図示されない電源供給部によって印加される。
【００２６】
前記フレキシブルフラットケーブル２４Ｂｋ、２４Ｙ、２４Ｍ、２４Ｃにおいて“ＬＶＤＳ−３ｃｈ”は、ＬＶＤＳ信号のチャンネル数が３チャンネルであることを示す。チャンネルｃｈ１はシリアルデータの同期転送用の差動クロックに使用されるクロックチャンネルである。残りの二つのチャンネルｃｈ２、ｃｈ３は、表１に示される制御コマンドに使用するデータチャンネルである。
【００２７】
前記制御コマンドは、制御部３０のエンジン制御部３１で生成され、制御部３０に配設されたシリアライザ部３２に送信される。そして、該シリアライザ部３２は各色、すなわち、ブラック、イエロー、マゼンタ、シアンごとにＬＶＤＳ方式の制御コマンドを生成する。表１に示されるように、前記制御コマンドは、前記ＬＥＤヘッド５０Ｂｋ、５０Ｙ、５０Ｍ、５０Ｃを動作させるための画像データ転送コマンド、ポート制御コマンド、ソフトリセットコマンド及び状態保持（ＮＯＰ）コマンドの４種類の制御コマンドから成る。
【００２８】
なお、表１においては、前記ＬＥＤヘッド５０Ｂｋ、５０Ｙ、５０Ｍ、５０Ｃにおいて、内部データバスを８ビット画像で構成したときの制御コマンドのビット配列が示され、制御コマンドは、７逓倍のデータ構成のコマンドデータ、すなわち、ＬＶＤＳ信号ケーブル１チャンネル当たり７ビット単位のコマンドデータから成る。
【００２９】
表１において×はＤｏｎ’ｔ  ｃａｒｅを意味し、有効ビットではないことを表す。本実施の形態においては、詳細には説明しないが、「０」又は「１」で固定することによって、通信上のビット化けエラーを判定する場合には有効である。
【００３０】
前記状態保持コマンドは、有効データと有効データとの間につなぎとして転送することによって、前記エラー判定に有効なデータとして扱われる。また、ソフトリセットコマンドは、ＬＥＤコマンド生成部５２Ｂｋ、５２Ｙ、５２Ｍ、５２Ｃの初期化を行うためのものであり、回路起動及び画像データの先頭の初期化に必要なコマンドとして転送される。
【００３１】
次に、表１について詳細に説明する。
【００３２】
まず、シリアルデータ線Ｄ６：Ｄ０で設定されるデータは、フレキシブルフラットケーブル２４Ｂｋ、２４Ｙ、２４Ｍ、２４Ｃのチャンネルｃｈ２に割り付けられる。ここで、Ｄ６ビット＝“１”は画像データを示し、残りのシリアルデータ線Ｄ５：Ｄ０はデータ５、データ４、データ３、データ２、データ１、データ０を示す。
【００３３】
一方、Ｄ６ビット＝“０”は制御コマンド群を示す。ここで、該制御コマンド群はＤ５ビットとＤ４ビットとの組合せに応じて、更にポート制御コマンド、状態保持コマンド及びソフトリセットコマンドの３種に区別される。
【００３４】
次に、シリアルデータ線Ｄ１３：Ｄ７で設定されるデータは、フレキシブルフラットケーブル２４Ｂｋ、２４Ｙ、２４Ｍ、２４Ｃのチャンネルｃｈ３に割り付けられる。本実施の形態においては、前記内部データバス８ビット画像の残りデータ７、データ６を転送する。したがって、チャンネルｃｈ３は画像デ−タだけを転送する。
【００３５】
ここで、前記シリアルデータ線のデータビットのデータ送信順序は、チャンネルｃｈ２においては、Ｄ６→Ｄ５→Ｄ４→Ｄ３→Ｄ２→Ｄ１→Ｄ０の順番であり、チャンネルｃｈ３においては、Ｄ１３→Ｄ１２→Ｄ１１→Ｄ１０→Ｄ９→Ｄ８→Ｄ７の順番である。また、画像データとして、有効なビットデータは、データ０→データ１→データ２→データ３→データ４→データ５→データ６→データ７の順に並べられる。
【００３６】
なお、画像データ自体は、そのままでは有効なデータの始まりが分からないので、画像データの送信に先立って、画像データの取込みを開始するトリガとして前記ポート制御コマンドを送信する。
【００３７】
なお、表２及び３は内部データバスを４ビット画像で構成したときの制御コマンドのビット配列の例を示す。
【００３８】
【表２】
2008080739.tif 000004
【００３９】
【表３】
2008080739.tif 000005
【００４０】
次に、階調データを転送するときのＬＥＤ駆動部５３Ｂｋ、５３Ｙ、５３Ｍ、５３Ｃを制御する信号動作について説明する。
【００４１】
図４は本発明の第１の実施の形態における階調データを転送するときのＬＥＤ駆動部の動作を示すタイムチャートである。
【００４２】
まず、ポート制御コマンドにおいて、ＨＳＹＮＣに“１”をセットすると、画像データの転送の開始を表す信号であるＨＳＹＮＣ−Ｎ信号が“Ｌ”（アクティブ）になる。これにより、１ラインの画像データの始まりを知らせる。
【００４３】
次に、ＨＳＹＮＣ−Ｎ信号が“Ｈ”になり、この間の入力データが有効データとして取り込まれる。続いて、１ライン分にあらかじめ設定されたデータ数だけ前記画像データを繰り返し転送すると、画像データを表す信号であるＨＤＡＴＡ信号は、転送クロックを表す信号であるＨＣＬＫ信号に同期してＬＥＤ駆動部５３Ｂｋ、５３Ｙ、５３Ｍ、５３Ｃに転送される。ここで、１ライン分の画像データの送信が終了すると、ポート制御コマンドにおいてＬＯＡＤに“１”をセットする。このとき、ＬＥＤ駆動部５３Ｂｋ、５３Ｙ、５３Ｍ、５３Ｃにおいては、１ライン分の画像データがそろっているので、ラッチタイミングを表す信号であるＬＯＡＤ信号を“Ｈ”（アクティブ）にして、そのときのデータ群をラッチする。
【００４４】
続いて、ポート制御コマンドにおいて、ＳＴＢに“１”をセットする。前記ＬＥＤ駆動部５３は、ＬＥＤ素子を駆動するための信号であるＳＴＢ−Ｎ信号を“Ｌ”（アクティブ）にして、ラッチされたデータ群に基づいてあらかじめ設定されている通電時間で各ＬＥＤ素子群５４を駆動し、発光させる。これを任意のライン回数繰り返すことによって、ＬＥＤヘッド５０Ｂｋ、５０Ｙ、５０Ｍ、５０Ｃによる露光が終了する。
【００４５】
なお、この場合、階調ラインを表現する１ライン分のデータ、すなわち、階調ラインデータを、ストローブ時間の異なる８ラインの２値表現したサブラインデータで表現する方式で転送（ライン転送）するようになっている。階調表現１ライン分のデータ転送は、ＨＳＹＮＣ−Ｎ信号が“Ｌ”（アクティブ）になるのに周期させて行われる。すなわち、８回のサブラインデータのデータ転送においては、それぞれ８回のＬＯＡＤ信号及び８回の異なるストローブ時間で設定されたＳＴＢ−Ｎ信号が出力される。
【００４６】
本実施の形態においては、３２階調表現を行うのに必要なデータライン数は、２値表現に必要なデータライン数の８倍になる。したがって、画像データの数が８倍になり、階調データ印刷時はデータ転送処理の高速化が必要であることが分かる。そのためには、ＬＥＤヘッド５０Ｂｋ、５０Ｙ、５０Ｍ、５０Ｃへのデータ転送に高速転送が可能なＬＶＤＳ方式の転送が有効であることが分かる。
【００４７】
ところで、前記ＬＥＤヘッド５０Ｂｋ、５０Ｙ、５０Ｍ、５０Ｃには図示されないＥＥＰＲＯＭのメモリが搭載される。
【００４８】
次に、ＥＥＰＲＯＭにアクセスするときのポート制御コマンドについて説明する。
【００４９】
この場合、ＬＥＤヘッド５０Ｂｋ、５０Ｙ、５０Ｍ、５０Ｃには図示されないＥＥＰＲＯＭが搭載され、該各ＥＥＰＲＯＭには、ＬＥＤ素子群５４Ｂｋ、５４Ｙ、５４Ｍ、５４Ｃの光量のばらつきを補正によって均一化するための補正データが記録される。
【００５０】
そこで、表１に示されるように、該補正データを読み出すためのＥＥＰＲＯＭの制御信号が割り付けられる。ここでは、ＥＥＰＲＯＭの制御信号（ＣＳ値、ＷＰ−ＨＯＬＤ値）、データ入力信号（ＳＩ値）及びクロック入力信号（ＳＣＫ値）が割り付けられる。
【００５１】
なお、補正データは表４のＳＯ（ＥＥＰＲＯＭ出力）から読み出され、別途必要に応じて前記ＬＥＤ駆動部５３に書き込まれる。
【００５２】
【表４】
2008080739.tif 000006
【００５３】
図５は本発明の第１の実施の形態におけるフレキシブルフラットケーブルの接続状態を示す詳細図、図６は本発明の第１の実施の形態におけるフレキシブルフラットケーブルとコネクタとの接続関係を示す図、図７は本発明の第１の実施の形態におけるフレキシブルフラットケーブルとコネクタとの接続関係を示す詳細図である。
【００５４】
図に示されるように、中継基板４０とＬＥＤヘッド５０Ｂｋ、５０Ｙ、５０Ｍ、５０Ｃとは、データを転送するためのフレキシブルフラットケーブル２４Ｂｋ、２４Ｙ、２４Ｍ、２４Ｃ、及び電圧を印加するための電源ケーブル６３Ｂｋ、６３Ｙ、６３Ｍ、６３Ｃによって接続される。前記中継基板４０の形状は、搬送ベルト１７の用紙の搬送方向に対して長辺を有する長方形である。
【００５５】
そして、前記フレキシブルフラットケーブル２４Ｂｋ、２４Ｙ、２４Ｍ、２４Ｃの両端は、それぞれ第１の接続部としてのコネクタ６４Ｂｋ、６４Ｙ、６４Ｍ、６４Ｃを介して中継基板４０に、第２の接続部としてのコネクタ６５Ｂｋ、６５Ｙ、６５Ｍ、６５Ｃを介してＬＥＤヘッド５０Ｂｋ、５０Ｙ、５０Ｍ、５０Ｃに接続される。コネクタ６４Ｂｋ、６４Ｙ、６４Ｍ、６４Ｃは中継基板４０上で長手方向と直角の方向に実装され、コネクタ６５Ｂｋ、６５Ｙ、６５Ｍ、６５Ｃは各ＬＥＤヘッド５０Ｂｋ、５０Ｙ、５０Ｍ、５０Ｃの長手方向に平行に実装される。
【００５６】
各ＬＥＤヘッド５０Ｂｋ、５０Ｙ、５０Ｍ、５０Ｃは、各ホルダ２２Ｂｋ、２２Ｙ、２２Ｍ、２２Ｃによって支持された状態で、画像形成ユニット１６Ｂｋ、１６Ｙ、１６Ｍ、１６Ｃの感光体ドラム２７Ｂｋ、２７Ｙ、２７Ｍ、２７Ｃと対向させて配設される。このとき、前記フレキシブルフラットケーブル２４Ｂｋ、２４Ｙ、２４Ｍ、２４Ｃは多少の撓みを有した状態で上下に延在させられる。
【００５７】
なお、本実施の形態においては、単色の印刷と複数色の印刷とを切り替えることができるようになっていて、切替え時には画像形成ユニット１６Ｂｋ、１６Ｙ、１６Ｍ、１６Ｃが搬送ベルト１７に対して接離させられる。これに伴って、前記画像形成ユニット１６Ｂｋ、１６Ｙ、１６Ｍ、１６Ｃに当接させられ、位置決めされた各ＬＥＤヘッド５０Ｂｋ、５０Ｙ、５０Ｍ、５０Ｃは接離動作に連動してホルダ２２Ｂｋ、２２Ｙ、２２Ｍ、２２Ｃによって支持された状態で上下方向に移動させられる。
【００５８】
ところで、前記フレキシブルフラットケーブル２４Ｂｋ、２４Ｙ、２４Ｍ、２４Ｃは、図６及び７に示されるように、応力吸収部材としての安定キャップ２４ａの上部のスリットＳＬ１を介してコネクタ６５Ｂｋ、６５Ｙ、６５Ｍ、６５Ｃに接続される（図６及び７においては、フレキシブルフラットケーブル２４Ｂｋとコネクタ６５Ｂｋとの接続についてだけ示される）。なお、前記スリットＳＬ１はコネクタ６５Ｂｋ、６５Ｙ、６５Ｍ、６５Ｃの鉛直線上に位置させて形成される。また、スリットＳＬ１の幅及び長さはフレキシブルフラットケーブル２４Ｂｋ、２４Ｙ、２４Ｍ、２４Ｃを傷めないように十分な寸法を有する。本実施の形態において、安定キャップ２４ａはＬＥＤヘッド５０Ｂｋ、５０Ｙ、５０Ｍ、５０Ｃに配設されるようになっているが、中継基板４０側にも配設することができる。
【００５９】
そして、前記安定キャップ２４ａはＬＥＤヘッド５０Ｂｋ、５０Ｙ、５０Ｍ、５０Ｃ自体に固定される。ここで、該ＬＥＤヘッド５０Ｂｋ、５０Ｙ、５０Ｍ、５０Ｃを任意の高さだけ持ち上げると、フレキシブルフラットケーブル２４Ｂｋ、２４Ｙ、２４Ｍ、２４Ｃは実装状態でスリットＳＬ１を支点として所定のメカニカルな応力を受ける。ところが、前記コネクタ６５Ｂｋ、６５Ｙ、６５Ｍ、６５Ｃとフレキシブルフラットケーブル２４Ｂｋ、２４Ｙ、２４Ｍ、２４Ｃとは、前記安定キャップ２４ａ内で接続されているので、コネクタ６５Ｂｋ、６５Ｙ、６５Ｍ、６５Ｃと安定キャップ２４ａのスリットＳＬ１との間でフレキシブルフラットケーブル２４Ｂｋ、２４Ｙ、２４Ｍ、２４Ｃが湾曲することはなく、前記コネクタ６５Ｂｋ、６５Ｙ、６５Ｍ、６５Ｃとフレキシブルフラットケーブル２４Ｂｋ、２４Ｙ、２４Ｍ、２４Ｃとの接続が妨げられることはない。なお、コネクタ６５Ｂｋ、６５Ｙ、６５Ｍ、６５Ｃの上面から前記安定キャップ２４ａのスリットＳＬ１までの高さは、コネクタ６５Ｂｋ、６５Ｙ、６５Ｍ、６５Ｃと前記フレキシブルフラットケーブル２４Ｂｋ、２４Ｙ、２４Ｍ、２４Ｃとの接続部分の近傍が湾曲しないように、所定の値、例えば、１０〔ｍｍ〕以上、かつ、１５〔ｍｍ〕未満に設定される。
【００６０】
このように、フレキシブルフラットケーブル２４Ｂｋ、２４Ｙ、２４Ｍ、２４Ｃは、コネクタ６５Ｂｋ、６５Ｙ、６５Ｍ、６５Ｃから離れた安定キャップ２４ａ外で応力を受けるので、コネクタ６５Ｂｋ、６５Ｙ、６５Ｍ、６５Ｃとフレキシブルフラットケーブル２４Ｂｋ、２４Ｙ、２４Ｍ、２４Ｃとの間て接触不良が発生するのを防止することができる。
【００６１】
次に、ＬＶＤＳ方式の送信側Ｔｘ及び受信側Ｒｘの動作について説明する。
【００６２】
図８は本発明の第１の実施の形態における制御部とＬＥＤヘッドとの接続関係の例を示す詳細図、図９は本発明の第１の実施の形態における各チャンネルの終端処理の第１の例を示す図、図１０は本発明の第１の実施の形態における各チャンネルの終端処理の第２の例を示す図、図１１は本発明の第１の実施の形態におけるＬＶＤＳ方式の送信側の動作を示すタイムチャート、図１２は本発明の第１の実施の形態におけるＬＶＤＳ方式の受信側の動作を示すタイムチャートである。
【００６３】
制御部３０とＬＥＤヘッド５０Ｂｋ、５０Ｙ、５０Ｍ、５０ＣのうちのＬＥＤヘッド５０Ｂｋとの接続関係について説明する。
【００６４】
図において、Ｔｘは送信側、Ｒｘは受信側である。
【００６５】
制御部３０とＬＥＤヘッド５０ＢｋとはＬＶＤＳ方式によって信号を通信するようになっている。高速通信を行うＬＶＤＳ方式においては、外部ノイズ、経路長（配線長) 等によって通信が影響を受けやすい。そこで、中継基板４０においては、図３に示されるように、ブラック、イエロー、マゼンタ及びシアンの各色のＬＶＤＳ信号配線パターンをロジックグラウンドのパターンで挟むことによってシールドし、外部ノイズの影響を受けにくくしている。また、各色のＬＶＤＳ信号配線パターンを直線的に配線して引き回し距離を短くすることによって、経路長（配線長) の影響を小さくしている。
【００６６】
さらに、ＬＶＤＳ信号線の各チャンネル（ペア線）ごとに所定の終端処理を行う必要があるが、該終端処理は、例えば、図９に示されるように、中継基板４０上で１００〔Ω〕前後の終端抵抗をペア線間に接続することによって容易に行うことができる。また、例えば、図１０に示されるように、５０〔Ω〕の二つの終端抵抗をペア線間に接続し、各終端抵抗の結線部分とグラウンドとの間に、所定の容量の高周波ノイズ除去用のコンデンサ（０．１〔ｕＦ〕  積層セラミックコンデンサ）を挿入することによって、所望の高周波ノイズを効果的に除去することができる。
【００６７】
ところで、制御ケーブル２５は、ＬＶＤＳ信号を送信するようになっているので、シールドケーブルと同等の性能が必要である。ところが、装置本体内で所定の位置に固定された制御部３０及び中継基板４０に接続される制御ケーブル２５は、固定されていて動くことはない。したがって、従来のシールドケーブルを使用しても端部が断線されることはない。
【００６８】
また、送信側Ｔx は、エンジン制御部３１及びシリアライザ部３２を備え、前記エンジン制御部３１は、データ生成部３１ａ及びクロック生成部３１ｂを備え、送信データとしてのＴｘＩＮ（Ｄ１３：Ｄ７）信号、ＴｘＩＮ（Ｄ６：Ｄ０）信号、クロック入力信号ＴｘＣＬＫ  ＩＮをシリアライザ部３２に対して出力する。
【００６９】
続いて、該シリアライザ部３２はＩＮＰＵＴ  ＬＡＴＣＨ部３２ａにセットされた送信データをＰＡＲＡＬＬＥＬ  ｔｏ  ＳＥＲＩＡＬ部３２ｂを経由してＬＶＤＳ信号（ＴｘＯＵＴａ＋／ＴｘＯＵＴａ−）、（ＴｘＯＵＴｂ＋／ＴｘＯＵＴｂ−）に変換して、受信側Ｒｘに送信する。また、クロック入力信号ＴｘＣＬＫ  ＩＮはＰＬＬ部３２ｃで７逓倍に周波数を高くし、前記送信データの周期クロックを生成するとともに、デシリアライズを行うのに必要な同期クロックをＬＶＤＳ信号（ＴｘＣＬＫ  ＯＵＴ＋／ＴｘＣＬＫ  ＯＵＴ−）に変換して送信する。
【００７０】
なお、受信側Ｒｘは、デシリアライズ部５１Ｂｋ、ＬＥＤコマンド生成部５２Ｂｋ、ＬＥＤ駆動部５３Ｂｋ及びＬＥＤ素子群５４Ｂｋによって構成される。そして、前記デシリアライズ部５１Ｂｋは入力データとしての前記送信データのＬＶＤＳ信号（ＴｘＯＵＴａ＋／ＴｘＯＵＴａ−）、（ＴｘＯＵＴｂ＋／ＴｘＯＵＴｂ−）、及び入力クロックとしての送信クロックのＬＶＤＳ信号（ＴｘＣＬＫ  ＯＵＴ＋／ＴｘＣＬＫ  ＯＵＴ−）を受信する。
【００７１】
次に、ＰＬＬ部５１ｃで７逓倍に周波数を上げて前記受信データの周期クロックを生成し、ＳＥＲＩＡＬ  ｔｏ  ＰＡＲＡＬＬＥＬ部５１ａに入力された受信データをＯＵＴＰＵＴ  ＬＡＴＣＨ部５１ｂを経由して受信データとしてのＲｘＯＵＴ（Ｄ１３：Ｄ７）信号、ＲｘＯＵＴ（Ｄ６：Ｄ０）信号、及び受信同期クロックとしてのＲｘＣＬＫ  ＯＵＴ信号を出力する。
【００７２】
また、ＬＥＤコマンド生成部５２Ｂｋはコマンドデコード部５２ａ及びクロック変換部５２ｂから成り、コマンドデコード部５２ａに入力されたＲｘＯＵＴ（Ｄ１３：Ｄ７）信号、ＲｘＯＵＴ（Ｄ６：Ｄ０）信号は、表１に示される制御コマンドにデコードされ、ＬＥＤ駆動部５３Ｂｋに必要なデータ信号に変換されてＬＥＤ駆動部５３Ｂｋに対して出力される。
【００７３】
なお、ＬＥＤ駆動部５３Ｂｋは画像データ処理部５３ａ、発光制御部５３ｂ及び転送クロック部５３ｃを備える。そして、ＬＥＤコマンド生成部５２Ｂｋは画像データ処理部５３ａに対して、画像データとしてＨＤＡＴＡ（Ｄ７：Ｄ４）信号、ＨＤＡＴＡ（Ｄ３：Ｄ０）信号を出力し、発光制御部５３ｂには制御信号としてＨＳＹＮＣ−Ｎ信号、ＬＯＡＤ信号及びＳＴＢ−Ｎ信号を出力する。また、画像データを各ＬＥＤ素子に転送するために必要とする転送クロックのＬＶＤＳ信号（ＨＣＫＬ＋／ＨＣＫＬ−）はＲｘＣＬＫ  ＯＵＴ信号をクロック変換部５２ｂでＬＶＤＳ変換して転送クロック部５３ｃに出力する。
【００７４】
なお、ＰＷＲ  ＤＷＮ−Ｎ信号はシリアライザ部３２からデシリアライザ部５１に入力されて初期化を行うリセット信号（“Ｌ”アクティブ）である。
【００７５】
そして、図１１において、ＴｘＩＮは、ＴｘＩＮ（Ｄ１３：Ｄ７）信号及びＴｘＩＮ（Ｄ６：Ｄ０）信号のうちのＴｘＩＮ（Ｄ６：Ｄ０）であり、ＴｘＯＵＴは、データＬＶＤＳ（ＴｘＯＵＴａ＋／ＴｘＯＵＴａ−）信号及び（ＴｘＯＵＴｂ＋／ＴｘＯＵＴｂ−）信号のうちの（ＴｘＯＵＴａ＋／ＴｘＯＵＴａ−）であり、ＴｘＣＬＫ  ＯＵＴはクロックＬＶＤＳ（ＴｘＣＬＫ  ＯＵＴ＋／ＴｘＣＬＫ  ＯＵＴ−）信号である。
【００７６】
また、図１２において、ＲｘＣＬＫ  ＩＮは、入力のクロックＬＶＤＳ（ＴｘＣＬＫ  ＯＵＴ＋／ＴｘＣＬＫ  ＯＵＴ−）信号であり、ＲｘＩＮは、入力のデータＬＶＤＳ（ＴｘＯＵＴａ＋／ＴｘＯＵＴａ−）信号及び（ＴｘＯＵＴｂ＋／ＴｘＯＵＴｂ−）信号のうちの（ＴｘＯＵＴａ＋／ＴｘＯＵＴａ−）であり、ＲｘＯＵＴは出力のＲｘＯＵＴ（Ｄ１３：Ｄ７）信号及びＲｘＯＵＴ（Ｄ６：Ｄ０）信号のうちのＲｘＯＵＴ（Ｄ６：Ｄ０）信号である。
【００７７】
次に、ＬＶＤＳ通信について説明する。
【００７８】
まず、制御部３０のシリアライザ部３１に基本クロック（ＴｘＣＬＫ  ＩＮ）を入力すると、シリアライザ部３１は、基本クロックを７逓倍したクロックに同期させて、７個のデータごとに制御データ及び画像データ（ＴｘＩＮ）をシリアライザ部３２に対して出力する。そして、シリアライザ部３２は、シリアライズ回路によって制御データ及び画像データ（ＴｘＩＮ）をＬＶＤＳシリアル信号データ（ＴｘＯＵＴ）に変換し、デシリアライザ部５１Ｂｋに対して出力する。また、このとき、シリアライザ部３２は、同期クロック出力（ＴｘＣＬＫ  ＯＵＴ）もデシリアライザ部５１Ｂｋに対して出力する。
【００７９】
一方、中継基板４０及びフレキシブルフラットケーブル２４Ｂｋ、２４Ｙ、２４Ｍ、２４Ｃを経由し、前記ＬＶＤＳシリアル信号データ（ＴｘＯＵＴ）がＬＶＤＳシリアル信号データ（ＲｘＩＮ）としてデシリアライズ回路５１Ｂｋに入力されると、前記デシリアライズ回路５１Ｂｋは、前記クロック信号（ＴｘＣＬＫ  ＯＵＴ）を同期クロック入力（ＲｘＣＬＫ  ＩＮ）として受け、該同期クロック入力（ＲｘＣＬＫ  ＩＮ）を内部で７逓倍して作成されたクロックに同期させて、ＬＶＤＳシリアル信号データ（ＲｘＩＮ）から制御データ及び画像データ（ＲｘＯＵＴ）を読み出す。
【００８０】
そして、取り出されたデータは制御信号としてＬＥＤヘッド５０Ｂｋの内部のＬＥＤ駆動回路を制御するとともに、各ＬＥＤ素子を発光させる画像データを取り出してＬＥＤヘッド５０Ｂｋ内のＬＥＤ駆動回路に転送する。
【００８１】
次に、フレキシブルフラットケーブル２４Ｂｋ、２４Ｙ、２４Ｍ、２４Ｃがノンシールドである場合のＬＶＤＳ通信を可能とする特定条件について説明する。
【００８２】
図１３は本発明の第１の実施の形態におけるアイモニタの出力例を示す図である。
【００８３】
この場合、ＬＶＤＳ通信において、フレキシブルフラットケーブル２４Ｂｋ、２４Ｙ、２４Ｍ、２４Ｃの動作周波数（通信周波数）と長さ、すなわち、ケーブル長との相関を、表５に示されるＬＶＤＳ通信の信頼性パラメータ（百分率で表される。）によって確認する。
【００８４】
【表５】
2008080739.tif 000007
【００８５】
なお、表５に示される信頼性パラメータは、実際に所定回数印刷を試行して、総試行回数に対して正常な印刷動作が何回行われたかを百分率で表したものである。また、印刷動作と同時に図１３に示されるアイモニタの開き状況も確認している。図１３においてｐｔ１〜ｐｔ３はアイパターンであり、ＬＶＤＳ信号の波形がこの領域にかからない場合には正常な通信、すなわち、正常な印刷が行えたと判断することができる。また、前記フレキシブルフラットケーブル２４Ｂｋ、２４Ｙ、２４Ｍ、２４Ｃの動作周波数帯は、５００〔ＭＨｚ〕前後のデータで確認する。
【００８６】
まず、動作周波数４６２〔ＭＨｚ〕（６６〔ＭＨｚ〕＊７）の場合、ケーブル長が７０〔ｃｍ〕以上、かつ、８０〔ｃｍ〕以下の場合には全く正常な印刷が行われず、アイモニタによる確認でも正常な通信が行われていないことが分かる。また、ケーブル長が６０〔ｃｍ〕の場合もほとんど通信することができない。次に、ケーブル長が４０〔ｃｍ〕の場合には５０〔％〕の通信だけが成功し、ケーブル長が３０〔ｃｍ〕の場合にはほとんどの通信が成功するが、１００〔％〕の通信にはならない。さらに、ケーブル長が２５〔ｃｍ〕の場合には、ほぼ１００〔％〕の通信が成功する。また、ケーブル長が１０〔ｃｍ〕の場合には何の問題もなく１００〔％〕の通信が成功する。
【００８７】
次に、Ａ４判サイズの用紙を横置きにし、６００〔ｄｐｉ〕解像度、及び３２階調の印刷を４０〔ｐｐｍ〕の印刷速度（画像形成速度）で行うことを印刷条件（画像形成条件）として、動作周波数５３２〔ＭＨｚ〕（７６〔ＭＨｚ〕＊７）を想定した場合、ケーブル長が６０〔ｃｍ〕以上、かつ、８０〔ｃｍ〕以下の場合には全く正常な印刷が行われず、アイモニタによる確認でも正常な通信が行われていないことが分かる。また、ケーブル長が５０〔ｃｍ〕の場合もほとんど通信することができない。次に、ケーブル長が４０〔ｃｍ〕の場合には５０〔％〕の通信だけが成功し、ケーブル長が３０〔ｃｍ〕の場合にはほとんどの通信が成功するが、１００〔％〕の通信にはならない。そして、ケーブル長が２０〔ｃｍ〕の場合にはほぼ１００〔％〕の通信が成功し、ケーブル長が１０〔ｃｍ〕の場合には何の問題もなく１００〔％〕の通信が成功する。
【００８８】
また、同様に、６０〔ｐｐｍ〕相当の印刷条件として、動作周波数６２３〔ＭＨｚ〕（８９〔ＭＨｚ〕＊７）を想定した場合、ケーブル長が５０〔ｃｍ〕以上、かつ、８０〔ｃｍ〕以下の場合には全く正常な印刷が行われず、アイモニタによる確認でも正常な通信が行われていないことが分かる。また、ケーブル長が４０〔ｃｍ〕の場合もほとんど通信することができない。次に、ケーブル長が３０〔ｃｍ〕の場合には５０〔％〕の通信だけが成功し、ケーブル長が２０〔ｃｍ〕の場合にはほとんどの通信が成功するが１００〔％〕の通信にはならない。そして、ケーブル長が１０〔ｃｍ〕の場合にはほぼ１００〔％〕の通信が成功する。
【００８９】
同様に、動作周波数４９０〔ＭＨｚ〕（７０〔ＭＨｚ〕＊７）の場合では、ケーブル長が２５〔ｃｍ〕で１００〔％〕の通信が可能になり、動作周波数５６０〔ＭＨｚ〕（８０〔ＭＨｚ〕＊７）の場合では、ケーブル長が２０〔ｃｍ〕で１００〔％〕の通信が可能になる。
【００９０】
このように、印刷速度（現実的な印刷速度として５０〔ｐｐｍ〕程度を想定）に応じたＬＶＤＳ通信を行う場合、動作周波数を５００〔ＭＨｚ〕前後の値にする必要があるが、５６０〔ＭＨｚ〕以下の動作周波数においては、ケーブル長を２０〔ｃｍ〕以下にする必要がある。
【００９１】
次に、中継基板４０にブラック、イエロー、マゼンタ及びシアンの各色のシリアライザ部４１Ｂｋ、４１Ｙ、４１Ｍ、４１Ｃを搭載したプリンタについて説明する。
【００９２】
図１４は本発明の第１の実施の形態におけるプリンタの他の例を示すブロック図である。
【００９３】
図において、２４Ｂｋ、２４Ｙ、２４Ｍ、２４Ｃはフレキシブルフラットケーブル、２５は制御ケーブル、３０は制御部、３１はエンジン制御部、４０は中継基板、４１Ｂｋ、４１Ｙ、４１Ｍ、４１Ｃはシリアライザ部、５０Ｂｋ、５０Ｙ、５０Ｍ、５０ＣはＬＥＤヘッド、５１Ｂｋ、５１Ｙ、５１Ｍ、５１Ｃはデシリアライザ部、５２Ｂｋ、５２Ｙ、５２Ｍ、５２ＣはＬＥＤコマンド生成部、５３Ｂｋ、５３Ｙ、５３Ｍ、５３ＣはＬＥＤ駆動部、５４Ｂｋ、５４Ｙ、５４Ｍ、５４ＣはＬＥＤ素子群である。
【００９４】
この場合、ＬＶＤＳ信号を生成する回路であるシリアライザ部４１Ｂｋ、４１Ｙ、４１Ｍ、４１Ｃが中継基板４０上に搭載されるので、中継基板４０内を走るＬＶＤＳ信号の経路長を短くすることができ、全体的なＬＶＤＳ信号の引回し距離を短くすることができる。したがって、高周波ノイズが発生するのを抑制することができる。
【００９５】
また、中継基板４０に、インピーダンス整合のために終端抵抗を配設する必要がなくなる。なお、各シリアライザ部４１Ｂｋ、４１Ｙ、４１Ｍ、４１Ｃに対しては通常のバス形式によってデータ転送が行われるので、制御部３０と中継基板４０とを接続する制御ケーブル２５にシールドケーブルと同等の性能を持たせる必要がなくなる。
【００９６】
次に、中継基板４０とＬＥＤヘッド５０Ｂｋ、５０Ｙ、５０Ｍ、５０Ｃとの接続関係について説明する。
【００９７】
図１５は本発明の第１の実施の形態における中継基板とＬＥＤヘッドとの接続関係の第１の例を示す図である。なお、図においては、ＬＥＤヘッド５０Ｂｋだけが示される。
【００９８】
この場合、図における接続形態は、フレキシブルフラットケーブル２４Ｂｋ、２４Ｙ、２４Ｍ、２４Ｃとして、例えば、表６に示されるような２４極のフラットフレキシブルケーブルを使用することを想定していて、該フレキシブルフラットケーブルは、ＬＶＤＳ信号だけでなく、電源ＶＤＤ（＋５〔Ｖ〕）及び電源グラウンド（ＧＮＤ) が所定のピンに割り当てられている。そして、ＬＶＤＳ信号を構成するＣＬＫＯＵＴ−Ｐ信号、ＣＬＫＯＵＴ−Ｎ信号、Ｄａｔａ６：０−Ｐ、Ｄａｔａ６：０−Ｎ、Ｄａｔａ１３：７−Ｐ、Ｄａｔａ１３：７−Ｎの各信号間をＬＶＤＳ基準グラウンドとしてのＶＳＳによって挟み込む。また、デシリアライザ部５１Ｂｋ、５１Ｙ、５１Ｍ、５１Ｃのハードリセット信号であるＰＷＲ  ＤＷＮ−ＮがＶＳＳと電源グラウンド（ＧＮＤ) とによって挟み込まれる。
【００９９】
【表６】
2008080739.tif 000008
【０１００】
図１５の、第１の例の接続形態においては、例えば、表４に示されるような１４極のフレキシブルフラットケーブルを使用することも想定していて、該フレキシブルフラットケーブルは、ＬＶＤＳ信号としてのクロック線（ＬＶＤＳ−ｃｈ１) 、下位データ線（ＬＶＤＳ−ｃｈ２）及び上位データ線（ＬＶＤＳ−ｃｈ３) を、それぞれチャンネルごとに前記ＶＳＳによって挟み込む。同様に、ＥＥＰＲＯＭ出力としてのＳＯ及びデシリアライザ部５１Ｂｋ、５１Ｙ、５１Ｍ、５１Ｃのハードリセット信号であるＰＷＲ  ＤＷＮ−ＮがＶＳＳによって挟み込まれる。
【０１０１】
さらに、第１の例の接続形態においては、例えば、表７に示されるような１０極のフレキシブルフラットケーブルであり、かつ、コネクタのピッチが広いフレキシブルフラットケーブルを使用することも想定していて、該フレキシブルフラットケーブルは、ＬＶＤＳ信号としてのクロック線（ＬＶＤＳ−ｃｈ１) 及び下位データ線（ＬＶＤＳ−ｃｈ２）を、それぞれチャンネルごとに前記ＶＳＳで挟み込む。なお、上位データ線（ＬＶＤＳ−ｃｈ３）は、画像データを８ビット構成から４ビット構成又は６ビット構成に変更することによって削除することができる。
【０１０２】
【表７】
2008080739.tif 000009
【０１０３】
第１の例の接続形態においては、幅の広いフレキシブルフラットケーブルを使用し、ＬＥＤヘッド５０Ｂｋ、５０Ｙ、５０Ｍ、５０Ｃの長手方向に沿って接続部を上方に向けた状態でコネクタ６５Ｂｋ、６５Ｙ、６５Ｍ、６５Ｃを実装し、ＬＥＤヘッド５０Ｂｋ、５０Ｙ、５０Ｍ、５０Ｃの上方に中継基板４０を配設するようにしている。
【０１０４】
図１６は本発明の第１の実施の形態における中継基板とＬＥＤヘッドとの接続関係の第２の例を示す図である。なお、図においては、ＬＥＤヘッド５０Ｂｋだけが示される。
【０１０５】
この場合、図における接続形態は、フレキシブルフラットケーブル２４Ｂｋ、２４Ｙ、２４Ｍ、２４Ｃとして、例えば、表７に示されるような１０極のフレキシブルフラットケーブルであり、かつ、コネクタのピッチが第１の例の場合より狭いフレキシブルフラットケーブルを使用することも想定している。表７に示されるフレキシブルフラットケーブルは、ＬＶＤＳ信号としてのクロック線（ＬＶＤＳ−ｃｈ１) 及び下位データ線（ＬＶＤＳ−ｃｈ２）を、それぞれチャンネルごとに前記ＶＳＳによって挟み込む。同様に、ＥＥＰＲＯＭ出力としてのＳＯ及びデシリアライザ部５１Ｂｋ、５１Ｙ、５１Ｍ、５１Ｃのハードリセット信号であるＰＷＲ  ＤＷＮ−ＮがＶＳＳによって挟み込まれる。なお、上位データ（ＬＶＤＳ−ｃｈ３）は、画像データを８ビット構成から４ビット構成又は６ビット構成に変更することによって削除することができる。
【０１０６】
このように、第２の例の接続形態においては、ＬＶＤＳ信号の送信に必要な極数を減らした幅の狭いフレキシブルフラットケーブルを使用し、ＬＥＤヘッド５０Ｂｋ、５０Ｙ、５０Ｍ、５０Ｃの短手方向に沿って接続部を上方に向けた状態でコネクタ６５Ｂｋ、６５Ｙ、６５Ｍ、６５Ｃを実装し、ＬＥＤヘッド５０Ｂｋ、５０Ｙ、５０Ｍ、５０Ｃの上方に中継基板４０を配設するようにしている。
【０１０７】
図１７は本発明の第１の実施の形態におけるＬＥＤヘッドと中継基板との接続関係の第３の例を示す図である。なお、図においては、ＬＥＤヘッド５０Ｂｋだけが示される。
【０１０８】
この場合、図における接続形態は、第２の例の接続形態と同様に、フレキシブルフラットケーブル２４Ｂｋ、２４Ｙ、２４Ｍ、２４Ｃとして、例えば、表７に示されるような１０極のフレキシブルフラットケーブルであり、かつ、コネクタのピッチが第１の例の場合より狭いフレキシブルフラットケーブルを使用することも想定している。
【０１０９】
第３の例の接続形態においては、ＬＶＤＳ信号の送信に必要な極数を減らした幅の狭いフレキシブルフラットケーブルを使用し、ＬＥＤヘッド５０Ｂｋ、５０Ｙ、５０Ｍ、５０Ｃの短手方向に沿って接続部を横に向けた状態でコネクタ６５Ｂｋ、６５Ｙ、６５Ｍ、６５Ｃを実装し、ＬＥＤヘッド５０Ｂｋ、５０Ｙ、５０Ｍ、５０Ｃの側方に中継基板４０を配設するようにしている。
【０１１０】
このように、本実施の形態においては、前述されたように、中継基板４０がＬＥＤヘッド５０Ｂｋ、５０Ｙ、５０Ｍ、５０Ｃの近傍に配設され、ケーブル長が２０〔ｃｍ〕以下の耐屈曲性の高いフレキシブルフラットケーブル２４Ｂｋ、２４Ｙ、２４Ｍ、２４Ｃによって、中継基板４０と各ＬＥＤヘッド５０Ｂｋ、５０Ｙ、５０Ｍ、５０Ｃとが接続されるので、配線構造を簡素化することができるとともに、接触不良、断線等が発生するのを防止して、プリンタの信頼性及び耐久性を向上させることができる。また、フレキシブルフラットケーブル２４Ｂｋ、２４Ｙ、２４Ｍ、２４ＣがノンシールドであってもＬＶＤＳ通信が可能になり、５０〔ｐｐｍ〕程度の高速の階調印刷を行うことができる。
【０１１１】
なお、フレキシブルフラットケーブル２４Ｂｋ、２４Ｙ、２４Ｍ、２４Ｃとコネクタ６５Ｂｋ、６５Ｙ、６５Ｍ、６５Ｃとの接続部の近傍に安定キャップ２４ａを配設し、接点に直接応力が加わらないようにするとともに、該応力を所定の方向に安定的に向けさせることができるので、配線の接続を一層安定して行うことができる。
【０１１２】
さらに、中継基板４０とＬＥＤヘッド５０Ｂｋ、５０Ｙ、５０Ｍ、５０Ｃとの間をほぼ直線的にフレキシブルフラットケーブル２４Ｂｋ、２４Ｙ、２４Ｍ、２４Ｃで接続するため、フレキシブルフラットケーブル同士が重なることがない。そのため、クロストークによる誤作動の発生を防止することができる。
【０１１３】
次に、本発明の第２の実施の形態について説明する。なお、第１の実施の形態と同じ構造を有するものについては、同じ符号を付与し、同じ構造を有することによる発明の効果については同実施の形態の効果を援用する。
【０１１４】
図１８は本発明の第２の実施の形態におけるプリンタの概略図、図１９は本発明の第２の実施の形態におけるフレキシブルフラットケーブルの屈曲状態を示す第１の図、図２０は本発明の第２の実施の形態におけるフレキシブルフラットケーブルの屈曲状態を示す第２の図、図２１は本発明の第２の実施の形態におけるフレキシブルフラットケーブルの屈曲状態を示す第３の図、図２２は本発明の第２の実施の形態におけるフレキシブルフラットケーブルの屈曲状態を示す第４の図である。
【０１１５】
本実施の形態においては、表６に示されるように、ＬＶＤＳ信号系に１４極分、ＶＤＤ（＋５〔Ｖ〕）に５極分、電源グラウンド（ＧＮＤ) に５極分を割り当てた２４極の信号ケーブルとしてのフレキシブルフラットケーブル７４Ｂｋ、７４Ｙ、７４Ｍ、７４Ｃを使用することができる。また、表４に示されるように、ＬＶＤＳ信号系にすべての極数を割り当てた１４極のフレキシブルフラットケーブル７４Ｂｋ、７４Ｙ、７４Ｍ、７４Ｃを使用したり、表７に示されるように、ＬＶＤＳ信号系にすべての極数を割り当てた１０極のフレキシブルフラットケーブル７４Ｂｋ、７４Ｙ、７４Ｍ、７４Ｃを使用したりすることもできる。なお、すべての極数をＬＶＤＳ信号系に割り当てる場合、電源（ＶＤＤ、ＧＮＤ) はＬＶＤＳ信号系とは別配線として、露光装置としての、かつ、記録ヘッドとしてのＬＥＤヘッド５０Ｂｋ、５０Ｙ、５０Ｍ、５０Ｃに供給される。
【０１１６】
このようなフレキシブルフラットケーブル７４Ｂｋ、７４Ｙ、７４Ｍ、７４Ｃの仕様は、ＬＥＤヘッド５０Ｂｋ、５０Ｙ、５０Ｍ、５０Ｃの消費電流等によって適宜選択することができる。
【０１１７】
次に、前記構成のプリンタ１０の動作について説明する。
【０１１８】
一般的には、タンデム方式のカラープリンタにおいて、搬送部材としての搬送ベルト１７、画像形成部としての画像形成ユニット１６Ｂｋ、１６Ｙ、１６Ｍ、１６Ｃ等による総合負荷の差に応じて印刷速度を変更するようにしている。そして、モノクロ印刷時はブラックのプロセスだけで印刷が可能であり、負荷が小さいので印刷速度を高くし、フルカラー印刷時はブラック、イエロー、マゼンタ及びシアンのすべてのプロセスを使用して印刷を行う必要があり、負荷が大きいので、印刷速度を低くする。
【０１１９】
したがって、モノクロ印刷時は画像形成ユニット１６Ｂｋだけを搬送ベルト１７に接触させ、その他の画像形成ユニット１６Ｙ、１６Ｍ、１６Ｃは搬送ベルト１７から切り離される。なお、前記画像形成ユニット１６を搬送ベルト１７と相対的に分離するために搬送ベルト１７を移動させる場合があるが、本実施の形態においては、各画像形成ユニット１６Ｂｋ、１６Ｙ、１６Ｍ、１６Ｃを移動させ、搬送ベルト１７から切り離す場合について説明する。
【０１２０】
図１８に示されるように、ＬＥＤヘッド５０Ｂｋ、５０Ｙ、５０Ｍ、５０Ｃが所定の方向、すなわち、媒体としての図示されない用紙の搬送方向に沿って、すべて等しい所定の間隔Ｌａで、並設され、かつ、中継基板４０からフレキシブルフラットケーブル７４Ｂｋ、７４Ｙ、７４Ｍ、７４Ｃを介して接続される。なお、前記間隔Ｌａは、画像形成ユニット１６Ｂｋ、１６Ｙ、１６Ｍ、１６Ｃが持ち上げられるのに伴って、それぞれのフレキシブルフラットケーブル７４Ｂｋ、７４Ｙ、７４Ｍ、７４Ｃが撓んだときの撓み量より大きくされ、フレキシブルフラットケーブル７４Ｂｋ、７４Ｙ、７４Ｍ、７４Ｃが互いに接触するのを防止する。このとき、垂直方向に真っ直ぐに伸びた状態のフレキシブルフラットケーブル７４Ｂｋ、７４Ｙ、７４Ｍ、７４Ｃの長さをＬｂとする。
【０１２１】
ここで、画像形成ユニット１６Ｙ、１６Ｍ、１６Ｃが距離ΔＢだけ上方に移動させられ、搬送ベルト１７から切り離されると、各画像形成ユニット１６Ｙ、１６Ｍ、１６Ｃにそれぞれ実装されるＬＥＤヘッド５０Ｙ、５０Ｍ、５０Ｃは同様に距離ΔＢだけ上方に変位して移動するので、結果的にフレキシブルフラットケーブル７４Ｙ、７４Ｍ、７４Ｃの下端は、同様に距離ΔＢだけ上方に移動させられる。なお、前記ＬＥＤヘッド５０Ｙ、５０Ｍ、５０Ｃが変位する量、すなわち、変位量は前記距離ΔＢになる。
【０１２２】
このとき、フレキシブルフラットケーブル７４Ｙ、７４Ｍ、７４Ｃは一方向にフレキシブルに変形して撓み量ΔＣだけ撓む。該撓み量ΔＣが大きくなると、フレキシブルフラットケーブル７４Ｙ、７４Ｍ、７４Ｃの接点の接触不良が発生するだけでなく、フレキシブルフラットケーブル７４Ｙ、７４Ｍ、７４Ｃが損傷し、さらに、中継基板４０に実装された第１の接続部としてのコネクタ６４Ｙ、６４Ｍ、６４Ｃ及びＬＥＤヘッド５０Ｙ、５０Ｍ、５０Ｃに実装された第２の接続部としてのコネクタ６５Ｙ、６５Ｍ、６５Ｃも損傷してしまうので、プリンタの信頼性及び耐久性が低くなってしまう。
【０１２３】
耐久性は、フレキシブルフラットケーブル７４Ｙ、７４Ｍ、７４Ｃの長さＬｂ及び画像形成ユニット１６が上方に移動する距離ΔＢによって異なり、前記長さＬｂが長く、前記距離ΔＢが短いほど耐久性が高く、前記長さＬｂが短く、前記距離ΔＢが長いほど耐久性が低い。
【０１２４】
一般に、フレキシブルフラットケーブル７４Ｙ、７４Ｍ、７４Ｃの屈曲特性は曲率Ｒで規定される。
【０１２５】
そして、距離ΔＢを２〔ｃｍ〕とした場合、長さをＬｂ〔ｃｍ〕として直径ｘ〔ｃｍ〕の仮想円の円周上にあるフレキシブルフラットケーブル７４Ｙ、７４Ｍ、７４Ｃの撓み量をΔＣとすると、図１９に示されるように、フレキシブルフラットケーブル７４Ｙ、７４Ｍ、７４Ｃの端部における円周の接線とフレキシブルフラットケーブル７４Ｙ、７４Ｍ、７４Ｃの両端を結ぶ弦との角度Δｙが、９０〔°〕になるとき、値（Ｌｂ−２）と円の直径ｘとが等しくなる。そして、
（Ｌｂ−２）＊π＊（９０／１８０）＝Ｌｂ〔ｃｍ〕          ……（１）
Ｌｂ−２＝ｘ〔ｃｍ〕                                      ……（２）
であるので、式（１）から長さＬｂは５．５〔ｃｍ〕になり、式（２）から直径ｘは３．５〔ｃｍ〕になる。これにより、フレキシブルフラットケーブル７４の最小長さは５．５〔ｃｍ〕になる。なお、このときの撓み量ΔＣは
ΔＣ＝ｘ／２
＝３．５／２
＝１．７５〔ｃｍ〕
になる。
【０１２６】
次に、図２０に示されるように、前記角度Δｙが６０〔°〕になるとき、
（Ｌｂ−２）／√（３）＊２＊π＊（６０／１８０）＝Ｌｂ〔ｃｍ〕
であるので、
Ｌｂ＝１１．６〔ｃｍ〕
ΔＣ＝９．６／√（３）＊（１−ｃｏｓ６０°）
＝２．７７〔ｃｍ〕
になる。
【０１２７】
また、図２１に示されるように、前記角度Δｙが４５〔°〕になるとき、
（Ｌｂ−２）／２＊√（２）＊２＊π＊（４５／１８０）
＝Ｌｂ〔ｃｍ〕
Ｌｂ＝２０．１〔ｃｍ〕
ΔＣ＝１８．１＊√（２）／２＊（１−ｃｏｓ４５°）
＝３．７５〔ｃｍ〕
になる。
【０１２８】
さらに、図２２に示されるように、前記角度Δｙが３０〔°〕になるとき、
（Ｌｂ−２）＊２＊π＊（３０／１８０）＝Ｌｂ〔ｃｍ〕
Ｌｂ＝４４．４〔ｃｍ〕
ΔＣ＝４２．４＊（１−ｃｏｓ３０°）
＝５．６８〔ｃｍ〕
になる。
【０１２９】
同様に、距離ΔＢを１〔ｃｍ〕とした場合、角度Δｙが９０〔°〕になるとき、
（Ｌｂ−１）＊π／２＝Ｌｂ〔ｃｍ〕
Ｌｂ＝２．８〔ｃｍ〕
ΔＣ＝１．８／２
＝０．９〔ｃｍ〕
になる。
【０１３０】
次に、前記角度Δｙが６０〔°〕になるとき、
（Ｌｂ−１）／√３＊２＊π／３＝Ｌｂ〔ｃｍ〕
Ｌｂ＝５．８〔ｃｍ〕
ΔＣ＝４．８／√３＊（１−ｃｏｓ６０°）
＝１．３９〔ｃｍ〕
になる。
【０１３１】
また、前記角度Δｙが４５〔°〕になるとき、
（Ｌｂ−１）／２＊√２＊２＊π＊／４＝Ｌｂ〔ｃｍ〕
Ｌｂ＝１０．０〔ｃｍ〕
ΔＣ＝９．０＊√２／２＊（１−ｃｏｓ４５°）
＝１．８６〔ｃｍ〕
になる。
【０１３２】
さらに、前記角度Δｙが３０〔°〕になるとき、
（Ｌｂ−１）＊２＊π＊／６＝Ｌｂ〔ｃｍ〕
Ｌｂ＝２２．２〔ｃｍ〕
ΔＣ＝２１．２＊（１−ｃｏｓ（３０））
＝２．８４〔ｃｍ〕
になる。
【０１３３】
そして、表８に示されるように、距離ΔＢが２〔ｃｍ〕以下であるときに、長さＬｂが５．５〔ｃｍ〕以上あれば、角度Δｙは９０〔°〕以下になるので、フレキシブルフラットケーブル７４Ｙ、７４Ｍ、７４Ｃが折れ曲がって損傷するのを防止することができる。また、ＬＥＤヘッド５０Ｙ、５０Ｍ、５０Ｃが距離ΔＢだけ上方に移動しても、フレキシブルフラットケーブル７４Ｙ、７４Ｍ、７４Ｃが撓みによって重なり合うことがないので、クロストークによる誤作動の発生を防止することができる。
【０１３４】
【表８】
2008080739.tif 000010
【０１３５】
ところで、距離ΔＢが２〔ｃｍ〕であり、長さＬｂが５．５〔ｃｍ〕であるとき、フレキシブルフラットケーブル７４Ｙ、７４Ｍ、７４Ｃの接点部分は９０〔°〕折れ曲がる方向に多少の応力を受けてしまうので、コネクタ６４、６５の接点部で接触不良が発生する恐れがある。
【０１３６】
そこで、本実施の形態においては、フレキシブルフラットケーブル７４Ｙ、７４Ｍ、７４Ｃの端部を補強して、コネクタ６４Ｙ、６４Ｍ、６４Ｃ及びコネクタ６５Ｙ、６５Ｍ、６５Ｃの接点部で接触不良が発生するのを防止することができるようにしている。
【０１３７】
図２３は本発明の第２の実施の形態におけるフレキシブルフラットケーブルの端部を示す斜視図、図２４は本発明の第２の実施の形態におけるフレキシブルフラットケーブルの端部を示す側面図である。この場合、フレキシブルフラットケーブル７４Ｙについてだけ図に示す。
【０１３８】
図に示されるように、フレキシブルフラットケーブル７４Ｙ、７４Ｍ、７４Ｃの端部の接点部分の裏面には、長さが１〔ｃｍ〕程度の規制部材としての、かつ、絶縁性を有する材料（例えば、プラスチック）から成る裏補強板７４ａが貼り付けられるので、端部の撓みが規制される。したがって、コネクタ６４Ｙ、６４Ｍ、６４Ｃ及びコネクタ６５Ｙ、６５Ｍ、６５Ｃの接点部で接触不良が発生するのを防止することができる。
【０１３９】
このように、本実施の形態においては、中継基板４０を固定し、フレキシブルフラットケーブル７４Ｙ、７４Ｍ、７４Ｃの最小長さを５．５〔ｃｍ〕にし、フレキシブルフラットケーブル７４Ｙ、７４Ｍ、７４Ｃの端部の最大可動範囲を２〔ｃｍ〕にし、フレキシブルフラットケーブル７４Ｙ、７４Ｍ、７４Ｃの端部を可動させるときに受ける応力に方向性を持たせることによって、フレキシブルフラットケーブル７４Ｙ、７４Ｍ、７４Ｃの耐久性を向上させることができる。したがって、フレキシブルフラットケーブル７４Ｙ、７４Ｍ、７４Ｃが断線するのを容易に防止することができるだけでなく、フレキシブルフラットケーブル７４Ｙ、７４Ｍ、７４Ｃの端部の接点部分で接触不良が発生するのを防止することができる。
【０１４０】
前記各実施の形態においては、画像形成装置としてのプリンタに適用した例について説明したが、本発明を、複写機、ファクシミリ装置、複合機等に適用することができる。
【０１４１】
なお、本発明は前記各実施の形態に限定されるものではなく、本発明の趣旨に基づいて種々変形させることが可能であり、それらを本発明の範囲から排除するものではない。
【図面の簡単な説明】
【０１４２】
【図１】本発明の第１の実施の形態におけるフレキシブルフラットケーブルの接続状態を示す概念図である。
【図２】本発明の第１の実施の形態におけるプリンタの概略図である。
【図３】本発明の第１の実施の形態におけるプリンタのブロック図である。
【図４】本発明の第１の実施の形態における階調データを転送するときのＬＥＤ駆動部の動作を示すタイムチャートである。
【図５】本発明の第１の実施の形態におけるフレキシブルフラットケーブルの接続状態を示す詳細図である。
【図６】本発明の第１の実施の形態におけるフレキシブルフラットケーブルとコネクタとの接続関係を示す図である。
【図７】本発明の第１の実施の形態におけるフレキシブルフラットケーブルとコネクタとの接続関係を示す詳細図である。
【図８】本発明の第１の実施の形態における制御部とＬＥＤヘッドとの接続関係の例を示す詳細図である。
【図９】本発明の第１の実施の形態における各チャンネルの終端処理の第１の例を示す図である。
【図１０】本発明の第１の実施の形態における各チャンネルの終端処理の第２の例を示す図である。
【図１１】本発明の第１の実施の形態におけるＬＶＤＳ方式の送信側の動作を示すタイムチャートである。
【図１２】本発明の第１の実施の形態におけるＬＶＤＳ方式の受信側の動作を示すタイムチャートである。
【図１３】本発明の第１の実施の形態におけるアイモニタの出力例を示す図である。
【図１４】本発明の第１の実施の形態におけるプリンタの他の例を示すブロック図である。
【図１５】本発明の第１の実施の形態における中継基板とＬＥＤヘッドとの接続関係の第１の例を示す図である。
【図１６】本発明の第１の実施の形態における中継基板とＬＥＤヘッドとの接続関係の第２の例を示す図である。
【図１７】本発明の第１の実施の形態におけるＬＥＤヘッドと中継基板との接続関係の第３の例を示す図である。
【図１８】本発明の第２の実施の形態におけるプリンタの概略図である。
【図１９】本発明の第２の実施の形態におけるフレキシブルフラットケーブルの屈曲状態を示す第１の図である。
【図２０】本発明の第２の実施の形態におけるフレキシブルフラットケーブルの屈曲状態を示す第２の図である。
【図２１】本発明の第２の実施の形態におけるフレキシブルフラットケーブルの屈曲状態を示す第３の図である。
【図２２】本発明の第２の実施の形態におけるフレキシブルフラットケーブルの屈曲状態を示す第４の図である。
【図２３】本発明の第２の実施の形態におけるフレキシブルフラットケーブルの端部を示す斜視図である。
【図２４】本発明の第２の実施の形態におけるフレキシブルフラットケーブルの端部を示す側面図である。
【符号の説明】
【０１４３】
１０    プリンタ
２４Ｂｋ、２４Ｙ、２４Ｍ、２４Ｃ、７４Ｂｋ、７４Ｙ、７４Ｍ、７４Ｃ    フレキシブルフラットケーブル
２５    制御ケーブル
３０    制御部
４０    中継基板
５０Ｂｋ、５０Ｙ、５０Ｍ、５０Ｃ    ＬＥＤヘッド
【図１】
2008080739.tif 000011
【図２】
2008080739.tif 000012
【図３】
2008080739.tif 000013
【図４】
2008080739.tif 000014
【図５】
2008080739.tif 000015
【図６】
2008080739.tif 000016
【図７】
2008080739.tif 000017
【図８】
2008080739.tif 000018
【図９】
2008080739.tif 000019
【図１０】
2008080739.tif 000020
【図１１】
2008080739.tif 000021
【図１２】
2008080739.tif 000022
【図１３】
2008080739.tif 000023
【図１４】
2008080739.tif 000024
【図１５】
2008080739.tif 000025
【図１６】
2008080739.tif 000026
【図１７】
2008080739.tif 000027
【図１８】
2008080739.tif 000028
【図１９】
2008080739.tif 000029
【図２０】
2008080739.tif 000030
【図２１】
2008080739.tif 000031
【図２２】
2008080739.tif 000032
【図２３】
2008080739.tif 000033
【図２４】
2008080739.tif 000034
【手続補正書】
【提出日】平成18年10月17日(2006.10.17)
【手続補正１】
【補正対象書類名】図面
【補正対象項目名】図１
【補正方法】変更
【補正の内容】
【図１】
2008080739.tif 000035
【手続補正２】
【補正対象書類名】図面
【補正対象項目名】図２
【補正方法】変更
【補正の内容】
【図２】
2008080739.tif 000036
【手続補正３】
【補正対象書類名】図面
【補正対象項目名】図３
【補正方法】変更
【補正の内容】
【図３】
2008080739.tif 000037
【手続補正４】
【補正対象書類名】図面
【補正対象項目名】図４
【補正方法】変更
【補正の内容】
【図４】
2008080739.tif 000038
【手続補正５】
【補正対象書類名】図面
【補正対象項目名】図５
【補正方法】変更
【補正の内容】
【図５】
2008080739.tif 000039
【手続補正６】
【補正対象書類名】図面
【補正対象項目名】図６
【補正方法】変更
【補正の内容】
【図６】
2008080739.tif 000040
【手続補正７】
【補正対象書類名】図面
【補正対象項目名】図７
【補正方法】変更
【補正の内容】
【図７】
2008080739.tif 000041
【手続補正８】
【補正対象書類名】図面
【補正対象項目名】図８
【補正方法】変更
【補正の内容】
【図８】
2008080739.tif 000042
【手続補正９】
【補正対象書類名】図面
【補正対象項目名】図１３
【補正方法】変更
【補正の内容】
【図１３】
2008080739.tif 000043
【手続補正１０】
【補正対象書類名】図面
【補正対象項目名】図１４
【補正方法】変更
【補正の内容】
【図１４】
2008080739.tif 000044
【手続補正１１】
【補正対象書類名】図面
【補正対象項目名】図１５
【補正方法】変更
【補正の内容】
【図１５】
2008080739.tif 000045
【手続補正１２】
【補正対象書類名】図面
【補正対象項目名】図１６
【補正方法】変更
【補正の内容】
【図１６】
2008080739.tif 000046
【手続補正１３】
【補正対象書類名】図面
【補正対象項目名】図１７
【補正方法】変更
【補正の内容】
【図１７】
2008080739.tif 000047
【手続補正１４】
【補正対象書類名】図面
【補正対象項目名】図１８
【補正方法】変更
【補正の内容】
【図１８】
2008080739.tif 000048
【手続補正１５】
【補正対象書類名】図面
【補正対象項目名】図１９
【補正方法】変更
【補正の内容】
【図１９】
2008080739.tif 000049
【手続補正１６】
【補正対象書類名】図面
【補正対象項目名】図２０
【補正方法】変更
【補正の内容】
【図２０】
2008080739.tif 000050
【手続補正１７】
【補正対象書類名】図面
【補正対象項目名】図２１
【補正方法】変更
【補正の内容】
【図２１】
2008080739.tif 000051
【手続補正１８】
【補正対象書類名】図面
【補正対象項目名】図２２
【補正方法】変更
【補正の内容】
【図２２】
2008080739.tif 000052
【手続補正１９】
【補正対象書類名】図面
【補正対象項目名】図２３
【補正方法】変更
【補正の内容】
【図２３】
2008080739.tif 000053